(57)【要約】【課題】大量の花を飾り付けて祭壇を構築する場合、祭壇を多数のモジュールを配置して構成することにより、会場での祭壇構築の労力を軽減する。【解決手段】図は、モジュールの構造を示す。フレーム１０からなる台の上面部分の所望位置に取り付け部材６を介してシャフト４を取り付け、該シャフトの所望位置にスライダー５を介してポール３を立てる。ポールの上部にはベースが装着され、該ベースに所望本数の花が挿される。祭壇を構成する花の分布状態に応じた個数のシャフトおよびポールがモジュールに設けられる。シャフトおよびポールは、各々その長手方向に沿って多数のクリック孔を有し、スライダーのシャフト上での位置およびポールの高さは、スライダー内のクリック係合機構により調節保持される。【選択図】図１
2005152668.tif 000002
【特許請求の範囲】
【請求項１】
多数の提示物を所望の配置パターンで提示する提示装置であって、
該提示装置は、前記所望の配置パターンを複数個に区画した場合の各々の区画の配置パターンで提示されるべき提示物が、それぞれ１つのモジュールで提示されるようにした構造を有し、かつ、各々のモジュールは、
（１）水平な後端部分と、該後端部分よりも低く位置する水平な前端部分と、該前端部分の左端から前記後端部分の左端へ連なる左端部分と、前記前端部分の右端から前記後端部分の右端へ連なる右端部分とを備えた上端部を有する台部分と、
（２）前記左端部分の所望個数の所定位置と、前記右端部分の所望個数の所定位置との間に水平に取り付けられた所望個数のシャフトと、
（３）前記シャフトの所定の位置に挿通された所望個数の位置決め装置と、
（４）該所望個数の位置決め装置にそれぞれ垂直に挿通され、かつ、各々の区画が提示すべき配置パターンに基づく高さに支持されるポールと、
（５）該ポールの上端に取り付けられ、各々の区画が提示すべき配置パターンで提示物が提示されるように提示物を保持する保持装置と、
をそれぞれが備え、
かつ、前記位置決め装置は、前記シャフト上における位置決め装置の位置設定及び保持を行う設定保持手段と、ポールの高さの調節及び保持を行うクリック機構とを備えていることを特徴とする提示装置。
【請求項２】
請求項１記載の提示装置において、前記保持装置は複数個の保持部を備えるとともに、該複数個の保持部は複数の列を構成し、かつ、各列を構成する保持部は、隣接する列の相互間においてオフセットした位置関係を有することにより、モジュール上に複数の保持装置を稠密に配置したときの保持部全体の配置パターンが千鳥状になることを特徴とする提示装置。
【請求項３】
請求項２記載の提示装置において、保持装置に備えられた複数個の保持部は、それぞれその内側に嵌合する球状体を有するとともに、該球状体は、被保持物が挿通されて保持されるための貫通孔を有し、かつ、該球状体は、保持部の内側に嵌合した状態において回動可能に構成されていることにより被保持物の保持される方向が調節可能であることを特徴とする提示装置。
【請求項４】
請求項３記載の提示装置において、前記貫通孔の上部の開口のサイズは、貫通孔の下部の開口のサイズよりも大きく設定されていることを特徴とする提示装置。
【請求項５】
請求項１，２，３または４記載の提示装置において、前記保持装置は、それ自身をポールの上端に取り付けるための取り付け部を備えるとともに、該取り付け部は、その内側に嵌合する球状体を有し、
かつ、該球状体は、前記ポールの上端が挿通されることにより保持装置が支持されるための貫通孔を備えるとともに、前記取り付け部の内側に嵌合した球状体が回動可能に構成されていることにより、保持装置の支持される方向を調節可能としていることを特徴とする提示装置。
【請求項６】
請求項１〜５のいずれかに記載の提示装置において、前記設定保持手段は、ボルトを用いた挟持機構によってシャフトを挟持することにより、位置決め装置をシャフトの所望位置で保持するものであることを特徴とする提示装置。
【請求項７】
請求項１〜５のいずれかに記載の提示装置において、前記設定保持手段はクリック機構を備え、該クリック機構によって位置決め装置をシャフトの所望位置で保持するものであることを特徴とする提示装置。
【発明の詳細な説明】
【技術分野】
【０００１】
この発明は、大量の提示物を所望の空間的レイアウトで提示するための提示装置に関し、更に、かかる提示装置に用いて好適な位置決め装置および保持装置に関するものである。
【背景技術】
【０００２】
従来、大量の提示物を所望の空間的レイアウトで提示する場合、例えば、冠婚葬祭や祝賀会等の大規模なセレモニーにおいて、大量の花を祭壇状に飾って会場を演出する場合、このような大規模な飾り付けには大変な労力と時間を要している。このため、例えば、祭壇については、組み立て式の構造を採用するものが従来知られている。
【０００３】
しかるに、このような組み立て式構造を採用することにより、飾り付け用台の組み立ては楽になっても、大量の花を所定の表現パターンに従って台に飾り付ける作業自体には、いまだに多くの労力と時間を要するという問題がある。そして、特に、大量の花を所望の曲面状に表すとか、あるいは、花文字を表現する等のような複雑な表現パターンで提示する場合には、個々の花を提示する位置の設定が著しく困難になるという問題があった。
【特許文献１】特開２０００−１４５３３号公報
【発明の開示】
【発明が解決しようとする課題】
【０００４】
この発明は、かかる点に鑑み、大量の提示物を祭壇状に飾って大規模な展示を行う場合に、飾り付け用台の組み立てを簡単にするだけでなく、大量の提示物を所定の表現パターンに従って台に飾り付ける作業自体も容易にすることを図るものであり、さらに、提示物を複雑な表現パターンで提示する場合であっても、提示物の提示位置の設定および調節が容易にできる位置決め装置および保持装置を提案するものである。
【課題を解決するための手段】
【０００５】
本発明は、多数の提示物を所望の配置パターンで提示するための提示装置であり、この提示装置は、前記所望の配置パターンを複数個に区画した場合の各々の区画の配置パターンで提示されるべき提示物が、それぞれ１つのモジュールで提示されるようにしている。
そして、各々のモジュールは、水平な後端部分と、該後端部分よりも低く位置する水平な前端部分と、該前端部分の左端から前記後端部分の左端へ連なる左端部分と、前記前端部分の右端から前記後端部分の右端へ連なる右端部分とを備えた上端部を有する台部分と、
前記左端部分の所望個数の所定位置と、前記右端部分の所望個数の所定位置との間に水平に取り付けられた所望個数のシャフトと、このシャフトの所定の位置に挿通された所望個数の位置決め装置と、これらの所望個数の位置決め装置にそれぞれ垂直に挿通され、かつ、各々の区画が提示すべき配置パターンに基づく高さに支持されるポールと、このポールの上端に取り付けられ、各々の区画が提示すべき配置パターンで提示物が提示されるように提示物を保持する保持装置とを備えている。
【０００６】
そして、前記位置決め装置は、前記シャフト上における位置決め装置の位置設定及び保持を行う設定保持手段を備えるとともに、クリック機構によりポールの高さの調節及び保持を行う。
【０００７】
ここで、前記保持装置に複数個の保持部を設け、かつ、これらの複数個の保持部を複数の列に構成するとともに、各列を構成する保持部を、隣接する列の相互間においてオフセットした位置に設けることにより、モジュール上に複数の保持装置を稠密に配置したときの保持部全体の配置パターンが千鳥状になるようにしている。
【０００８】
また、保持装置に設けられた複数個の保持部は、それぞれその内側に嵌合する球状体を有し、この球状体は、被保持物が挿通されて保持されるための貫通孔を備えるとともに、この球状体が、保持部の内側に嵌合した状態において回動可能に構成することにより、被保持物の保持される方向を調節可能としている。
【０００９】
なお、前記貫通孔の上部の開口のサイズを、貫通孔の下部の開口のサイズよりも大きく設定してもよい。
また、前記保持装置は、それ自身をポールの上端に取り付けるための取り付け部を備え、この取り付け部が、その内側に嵌合する球状体を有するとともに、この球状体は、前記ポールの上端が挿通されることにより保持装置が支持されるための貫通孔を備え、前記取り付け部の内側に嵌合した球状体を回動可能に構成することにより、保持装置の支持される方向を調節可能としている。
【００１０】
また、前記設定保持手段は、ボルトを用いた挟持機構によってシャフトを挟持することにより、位置決め装置をシャフトの所望位置で保持する構成としてもよい。
あるいは、前記設定保持手段はクリック機構を備え、該クリック機構によって位置決め装置をシャフトの所望位置で保持する構成としてもよい。
【発明の効果】
【００１１】
本発明の位置決め装置を用いれば、個々の提示物を提示するそれぞれの提示装置を極めて簡単に調節できる。また、本発明の保持装置では、大量の提示物を提示する際、個々の提示物の支持される方向を個々に調節可能であるとともに、提示物によって複雑な表現パターンを表す場合も、パターンをきれいに表現できる。さらに、本発明のモジュール化された提示装置を用いることにより、大量の提示物を提示する際における会場での構築作業が極めて簡単になる。
【発明を実施するための最良の形態】
【００１２】
提示装置を複数個のモジュールを配置した構造を採用することにより、提示装置の構築作業及び分解・搬送作業を非常に簡単にできるようにしている。
【実施例１】
【００１３】
本発明を、大量の花を祭壇状に飾りつける場合に適用した実施例１について、以下に詳細に説明する。
かかる実施例における祭壇を横から見た断面図を図１９に示す。この図において１は階段状の台、３は台の上面部分に取り付けられたポール、２はポール３に取り付けられたベースであり、ベース２に花が取り付けられている。そして、本実施例では、この台１と、台１上に取り付けられた多数のポールおよびベースとで１個のモジュールを構成しており、多数のモジュールを、図に示されるように補助台９９９を利用して階段状に並べることによって祭壇が構成されている。
【００１４】
次に、モジュールの構造を図１により説明する。この図は、分かり易いように、２段に構成された台の１段目に２本のポールを、２段目に１本のポールをそれぞれ取り付けた状態のモジュールを表している。モジュールの台は、図に示されるように多数本のフレーム１０を組み立てて構成され、その上面部分には取り付け部材６を介してシャフト４が取り付けられている。そして、シャフト４の両端部から適当な距離の位置にスライダー５が保持されるとともに、このスライダー５にポール３が所望の高さで取り付けられている。
【００１５】
次に、スライダー５の構造を、図２の拡大図で説明する。この図に示されるようにシャフト４およびポール３は中空の同じ構造をしており、いずれも軸方向に沿って列状に形成された多数のクリック孔４０および３０を備えている。参考までに、シャフト４の断面形状を図３に示す。図２および図３に示されるように、シャフト４は、その長手方向に沿って凹部４１が形成され、多数のクリック孔が凹部の両サイドにそれぞれ１列に形成されている。一方、スライダー５は、内部にクリック係合機構を備え、図２に示される状態では、シャフト４およびポール３は、いずれもスライダー５との間にクリック係合機構が働いて、これらの３者の位置が固定されている。
【００１６】
この状態において、シャフト４およびポール３を図のＹ方向に回転させると、スライダー５の内部のクリックの係合状態が容易に解除されて、スライダー５を図のＡ方向に自由に移動させることができ、また、ポール３については図のＢ方向に自由に移動させることができるようになる。そして、所望の移動位置でシャフト４およびポール３を図のＮ方向あるいはＹ方向に回転させると、再びクリックが係合状態となって、位置が固定される。
【００１７】
なお、以上に示したスライダーは直方体形状をしているが、上述のようなクリック係合機構を備えたものであれば、このような形状に限る必要はなく、たとえば球状であってもよい。更に、スライダーの形状として、必要十分な強度を確保しつつも大幅に軽量化した場合の例として図４のように構成してもよい。この図において、スライダーは、シャフト４が挿通されるパイプ部分５７と、ポール３が挿通されるパイプ部分５８と、それぞれクリック機構が内蔵されたパイプ部分５６および５９とが互いに結合された構造となっている。
【００１８】
次に、スライダー内部のクリック係合機構の詳細を、図４の場合を例にとって説明する。図４において、パイプ部分５６および５９の中心軸とパイプ部分５８の中心軸とを含む平面によってスライダーを切断した場合の断面図を、図５に示す。この図において、５２および５５は、それぞれスプリング５１および５４によってシャフト４およびポール３の方向へ付勢されているクリック係合片であり、これらの係合片の先端の突起部がクリック孔４０および３０にそれぞれ係合することにより、スライダー５とシャフト４およびポール３との位置関係が固定される。なお、図における５０および５３は、スライダー５のクリック機構の開口端にネジ機構ではめ込まれたストッパーである。
【００１９】
そして、シャフト４およびポール３に設けられているクリック孔は、シャフト４およびポール３を図４におけるＹ方向へ回転させた場合のみクリック係合状態が解除されるように形成されており、このように回転させたとき、シャフト４においては、その断面の凹部４１がクリック係合片の突起部に対向することになり、スライダー５をシャフト４の軸方向へ自由に移動させることができるようになる。ポール３についても、同様にクリック機構が解除されて花を支えるベース２の高さを自在に調節できる。
【００２０】
なお、シャフト４およびポール３の断面形状としては、勿論、図３に示されるものに限定することなく様々なものを採用することができ、例えば、図６に示すような形状を用いてもよい。また、図３および図６では、凹部の両サイドにそれぞれ１列のクリック孔が形成されているが、凹部の片方のサイドにのみクリック穴を形成してもよい。更に、以上に示したシャフトおよびポールは中空構造であるが、中実な構造にしてもよい。
【００２１】
つぎに、図１におけるベース２について説明する。図１では、ベース２の形状を板状のものとして簡略化して示しているが、その詳細な具体的形状は、図７に示すとおりである。この図について説明すると、この図は、ポール３の先端部３２にベース２が装着され、ベース２の挿花可能な６箇所（花受け部２１ないし２６）のうちの１箇所に花瓶７を介して１本の花が挿されている様子を示したものである。
【００２２】
この図において、花受け部２１ないし２６、ポール受け部２７、およびコネクタ部２８、２９等からなる構造がベース2の基本構造を構成し、この基本構造を図７のＧ方向から見た平面図を図８に示す。ここで、21ないし27は、いずれも共通した断面構造を有し、たとえば、２３について、図８の１点鎖線ＡＢで切断した断面を図９の（１）に示す。
【００２３】
そして、２１ないし２７の内部は、図９の（2）に示されている断面図および図９の（３）に示されている斜視図に表現されているようなテーパをもつ貫通孔が形成された受け部材２１０を丁度嵌装できるように構成されており、２１ないし２６では、この受け部材を介して花瓶７が挿入保持される構成となっている。参考までに、花受け部２１が受け部材２１０を介して花瓶を保持している状態の断面図を図１０に示す。また、ポール受け部２７では、この受け部材２１０を上下反転して嵌装したのち、図１１に示されるポール3の先端部を受け部材に貫入してポール３の球状部３１を受け部材２１０のテーパ面に当接させ、これにより、ベースがポールの先端部に保持される（図７参照）。
【００２４】
なお、図１０からも容易に推察できるように、本構造においては、花瓶を受け部材に装着した後、花瓶の向きをある程度任意の方向に傾けることができるので、花瓶を所望の方向に傾けた後、ボルト７７，７８等を締め付けて受け部材により花受け部を強固に挟持することで、花を所望の方向に向かせた状態で安定に保持することができる。
なお、上記のボルト７７による締め付け部分の拡大図を図１２に示す。この図に示されるように、ボルトにより締め付けられるベースの間には、弾性質のリング状のパッキン１５０が介挿され、ベースの破損を防止している。
【００２５】
ところで、図８に示されるように、花受け部21，22，23と花受け部24，25，26とは、互いにオフセットした位置関係となるように構成されているので、モジュールの台上に多数のシャフト及びポールを配設してベースを稠密に取り付けた場合の花受け部の全体の配置パターンは、図１３に示されるように千鳥状になる。
【００２６】
なお、この図では、花受け部の配置を分かりやすくするために、ポール受け部の大きさを花受け部よりも小さく描き、その他の構成は省略している）。従って、複数種類の多数の花を用いて祭壇に所望の模様（例えば、花文字等）を表現する場合には、花受け部が格子状に配置されている場合に比べて模様の曲線部分をより滑らかに描き出すことができるので、模様をきれいに表わすことができるという効果が得られる。
【００２７】
また、以上の実施例では、花受け部は２列に構成されている（２１〜２３からなる列と２４〜２６からなる列）が、より多くの列、たとえば、３列あるいは４列に構成してもよく、いずれの場合も、隣接する列の花受け部が互いにオフセットした位置関係となるようにすることで、前述の効果を実現することができる。
【００２８】
なお、図７におけるコネクタ部２８および２９は、多数のベースを配設したときに、隣接するベースを図１４に示される連結部材を用いて互いに連結してより安定に保持するためのものであり、一方のベースのコネクタ部に連結部材の球状部280をはめ込むとともに、隣接する他方のベースのコネクタ部に連結部材の球状部２８１ないし２８６のうちから最適間隔の位置にある球状部を選んではめ込むように構成されている（例えば、図１４において、他方のコネクタ部にはめ込むのに最適な間隔位置にある球部が２８３であった場合には、図のＰ点で連結部材を切断して使用する）。
【００２９】
次に、図１における取り付け部材６の構造の詳細を図１５により説明する。この図に示されるように、取り付け部材６は、略凹型形状のシャフト保持部６０と固定部６１とからなり、シャフト保持部は、フレーム１０の上面に形成されているガイド溝１００に嵌合する凸部を下部に備えている。そして、シャフト保持部をガイド溝に沿って摺動させ、所望の位置でシャフト４の端部をシャフト保持部６０の挿入孔６００に挿入してからボルトをネジ孔６０１に嵌めてシャフトを挟持するとともに、固定部６１の締め付け部６１０および６１１のボルトを締め付けることにより、フレーム１０、固定部６１、シャフト保持部６０、およびシャフト４が互いに固定されて、フレーム１０へのシャフトの取り付けがおこなわれる。なお、この実施例では、台１をフレームで構成しているが、台の上側面以外の面をパネルで構成するようにしてもよい。
【００３０】
以上に説明した実施例におけるモジュールを組み立てる場合には、つぎのような利点がある。すなわち、フレーム１０は、図１５に示されるように、４つのすべての側面にガイド溝が形成されているので、フレームから台を組み立てる際、特にガイド溝のある側面を確認しながら作業を進める必要はなく、組み立て作業が楽である。また、シャフト、およびポールは、今までの図に示されているように、いずれもその長手方向に沿って距離に対応した目盛りが刻まれているので、シャフト４上におけるスライダー位置の設定およびポールの高さの設定を容易に行うことができる。また、図１５では記載が省略されているが、フレーム上にも、その長手方向に沿って距離に対応した目盛りが刻まれているので、フレームに取り付け部材を取り付ける際の位置の設定を簡単に行うことができる。
【００３１】
次に、参考までにモジュールのいくつかの例の概観を図１６に示す。また、これらのモジュールを祭壇状に組み合わせた場合の１例を図１７に示す。
なお、以上のようなモジュール構造を採用したことにより、モジュールの花受け部への挿花作業を簡単に自動化することができる。即ち、花受け部の空間上の位置は、フレーム上の取り付け部材の位置データ、シャフト上のスライダーの位置データ、ポールの高さを示すデータ、および、ベース内の６個の花受け部のうちのいずれの花受け部であるかを示すデータによって完全に特定されるので、これらの花受け部の位置に関するデータと、各々の花受け部に挿花すべき花の種類をあらわすデータとを予めコンピューターに入力しておき、このコンピューターによりロボットアームを制御して自動的に挿花作業を実行させることができる。
【００３２】
そして、以上のような自動挿花作業により工場内で予め個々のモジュールを完成しておき、これをセレモニーの会場へ搬送して会場内で各モジュールを所定の配置に並べて祭壇を形成するという手法を採用することにより、サイズの大きい祭壇であっても、会場内で多大の労力を要することなく迅速に構築することができる。特に、祭壇の表面を複雑な曲面で構成する場合（たとえば、図１７参照）とか、あるいは祭壇の表面に多種類の花で複雑な模様を表出する場合等には、以上のような自動挿花機構を使用すればきわめて効率的である。もちろん、フレームから台を組み立てる作業、台へシャフト、ポール、ベース等を取り付けて組み立てる作業も自動化が可能である。
【００３３】
なお、実施例において説明したベースを支持するポールの高さをクリック機構を利用して調節保持可能としている技術については、他の支持機構、たとえば、カメラの３脚における支持機構や電気スタンド等に直ちに応用することができる。また、実施例のシャフト、ポールによる支持機構を、次のように改変して利用することも可能である。即ち、垂直のポールを固定するとともに、水平シャフトの両端は非固定としてその一端に被保持体を取り付けておき、垂直ポールに沿ってスライダーを上下にスライドすることで被保持体の高さを調整可能とし、更に、シャフトを水平に移動させることで被保持体の水平の位置を調節する。そして、このような支持機構の利用例としては、たとえば、テレビカメラで撮像する場合のマイクロホンの支持機構等を挙げることができる。
【００３４】
この場合、ポールとして図３あるいは図６のような断面構造を有するものを採用すれば、シャフトをクリック係合保持するクリック孔が同一水平面内に複数あるので、シャフトをクリック係合保持する際の水平面内での角度（方位）を、２つの角度のうちから適宜選択切り替えできるという利点がある。
また、今までに説明した実施例では、ベースの構造を、挿花が簡単にできるような形状としているが、もちろん、このような形状に限る必要はなく、提示される物体の保持形態に応じた最適な形状を採用すればよい。
【００３５】
更に、以上に述べた各実施例では、ポールとシャフトが直角の角度をなすように構成されているが、必要に応じて、これ以外の角度をなすようにしてもよい。例えば、本発明により祭壇を構成した実施例の場合、ポールを垂直よりも幾分前方へ傾けた角度をとらせるようにしてもよい。また、その他の例としては、例えば、図１８に示す支持装置を考えることができる。この図では、シャフト４とポール３が斜めの角度をなすようにそれぞれの貫通孔をスライダー５に形成するとともに、シャフト４の支持角度ωを可変とすることにより、被保持体５００（たとえば、照明ランプ）の保持範囲をより広いものとしている。
【実施例２】
【００３６】
次に、以上に示した図１ないし図５とは異なる構造の台、スライダー及びポールを用いて提示装置を構成した場合の実施例について説明する。
かかる実施例におけるモジュールの構造を図２０に示す。この図に示されるように、本実施例においては、台の左右の両サイドに斜めのフレーム３００および３０１が取り付けられ、これらのフレームの間に複数本のシャフト（３０５等）が所定の間隔を保って水平かつ平行に架けられる。そして、これらの複数本のシャフトの所望の位置にスライダー３０９を設けてポール３１２の支持が行われ、ポールの先端部には、ベース３１０が装着される。
【００３７】
参考までに、上記の台におけるフレーム相互の組み立て部分の構造を図２１により説明する。
図２１に示されるように、斜めのフレーム３００を水平のフレーム３０１に取り付けるための部材としては、これらのフレーム間に所望の角度を保持するためのコーナーブロック３０６を用いるとともに、水平フレーム３０１と垂直フレーム３０３を組み立てる部分には、Ｌ字形のコーナーロック３０７を用い、これらの部材により、図１５において説明した締め付け部６１０と同じ部材を用いてフレーム相互の強固な組み立てを行う。
また、スライダーが取り付けられるシャフト３１３と斜めのフレーム３００との組み立て部分には、図２１に示されているようなホルダー３０８を用いることによって、該シャフトの上側面が水平面となるようにしている。
【００３８】
次に、スライダー３０９の具体的構造を、図２２〜図２４により説明する。
図２２に示されるように、この実施例におけるスライダー３０９は、ポール３１２をクリック係合により保持するための保持部３１５と、スライダーをシャフト３１３の所望水平位置に固定するための固定部３１４とを備える。そして、保持部３１５における３２２は、図５における５０と同様の構造及び機能を備えたストッパーである。また、ポールには、クリック孔３１６が多数形成されている。このポールの先端部３２６には、図７と同じ構造のベースが装着されるが、この実施例においては、図７に示されるベースを上下反転させてポールに装着している。
【００３９】
図２２に示されるスライダーを図のＰ方向から見た図を図２３に示す。この図において、スライダーをシャフトの所望位置に固定する際は、固定部３１４のボルト３１１を緩めてスライダーを所望位置まで移動させた後、該ボルトを締めつけることにより行う。
【００４０】
次に、図２３において、保持部３１５を図の１点鎖線Ａ−Ｂの位置で切断した断面図を図２４に示す。この図に示されるように、保持部３１５内には１対のクリック係合用ボール３１７，３１８が内蔵されており、これらのボールが、スプリング３１９，３２０によってスライダーの両側面に形成されているクリック孔３１６へ強く押圧されることにより、ポールが係合保持される。なお、スライダーの材質はプラスチックで構成されているが、上記保持部３１５におけるボールおよびスプリング等が収納されるインサート部分３２１の材質はメタルで構成され、これにより強度を確保している。
【００４１】
なお、この実施例では、スライダーをシャフト上の所望位置に固定するための方法として、前述のようにボルトによる締め付け方法を採用しているが、ポールを保持する場合と同様にクリック機構を利用して固定するようにしても良い。この場合の具体的構成としては、例えば、シャフトとして、その上側面と下側面にそれぞれクリック孔が形成されているものを使用し、かつ、固定部３１４には、前記保持部３１５と同様に、そのシャフトを挟んだ上側と下側にそれぞれクリック機構を設ける。そして、シャフトを上下からクリック係合することにより、スライダーを安定に保持することができる。このようにすれば、前述のようなボルトを用いる場合よりも、簡単にシャフト上の位置調整ができる。
【００４２】
次に、ポールの先端部３２６にベースが装着される部分の構造を、図２５の断面図により説明する。本実施例では、図７の実施例と異なり、ベースのポール受け部３２５（図２２参照）の内側に前述の受け部材が嵌装されることなく直接ポールの先端部の球面が当接して、ベースが保持されるように構成している。なお、図２２において、３２３は花の挿入される花瓶であるが、この花瓶が挿入保持されるベースの花受け部の内側には、図１０と同じ受け部材２１０が嵌装される。
【００４３】
以上、本発明の種々の実施例について説明したが、もちろん、本発明は、これらの実施例に限定されるものではない。そして、当業者であれば、この他に、この発明の技術思想の範囲で、さまざまな構造的改変を施した実施例を構成することが可能であるが、そのような実施例が本発明の範囲から除外されるものではないことも明らかである。
【図面の簡単な説明】
【００４４】
【図１】本発明の１実施例を示す図である。
【図２】同実施例におけるスライダーの拡大図である。
【図３】同実施例におけるシャフトの断面図である。
【図４】スライダーの他の構成例を示す図である。
【図５】該構成例の断面図である。
【図６】シャフトの他の構成例の断面図である。
【図７】本発明の実施例におけるベースの具体的構成を示す図である。
【図８】ベースの平面図である。
【図９】ベースにおける花受け部および受け部材を説明する図である。
【図１０】花受け部における花瓶の保持状態を説明する図である。
【図１１】本発明の１実施例におけるポールを示す図である。
【図１２】同実施例におけるベースの締め付け部分の拡大図である。
【図１３】同実施例における花受け部の配置パターンを示す図である。
【図１４】同実施例における連結部材を示す図である。
【図１５】同実施例における取り付け部材を説明する図である。
【図１６】同実施例におけるモジュールの例を示す図である。
【図１７】同モジュールによる祭壇の構成例を示す図である。
【図１８】本発明による位置決め部材の他の実施例を示す図である。
【図１９】本発明による１実施例の断面図である。
【図２０】本発明の他の実施例を示す図である。
【図２１】該実施例におけるフレームの組み立て部分を示す図である。
【図２２】同実施例におけるスライダー、ポール、ベース当を示す図である。
【図２３】同実施例におけるスライダーを側面から見た図である。
【図２４】同実施例におけるスライダー内のクリック機構を説明する図である。
【図２５】同実施例におけるポールの先端部へのベースの装着状態を説明する図である。
【符号の説明】
【００４５】
１              台
２              ベース
３、３１２      ポール
４、３１３      シャフト
５、３０９      スライダー
６、３０８      取り付け部材
７、３２３      花瓶
１０、３０１    フレーム
【図１】
2005152668.tif 000003
【図２】
2005152668.tif 000004
【図３】
2005152668.tif 000005
【図４】
2005152668.tif 000006
【図５】
2005152668.tif 000007
【図６】
2005152668.tif 000008
【図７】
2005152668.tif 000009
【図８】
2005152668.tif 000010
【図９】
2005152668.tif 000011
【図１０】
2005152668.tif 000012
【図１１】
2005152668.tif 000013
【図１２】
2005152668.tif 000014
【図１３】
2005152668.tif 000015
【図１４】
2005152668.tif 000016
【図１５】
2005152668.tif 000017
【図１６】
2005152668.tif 000018
【図１７】
2005152668.tif 000019
【図１８】
2005152668.tif 000020
【図１９】
2005152668.tif 000021
【図２０】
2005152668.tif 000022
【図２１】
2005152668.tif 000023
【図２２】
2005152668.tif 000024
【図２３】
2005152668.tif 000025
【図２４】
2005152668.tif 000026
【図２５】
2005152668.tif 000027